(57)【特許請求の範囲】
【請求項１】
被験者を撮影するカメラと、そのカメラで撮影した画像データから前記被験者の身体の各部のサイズを算出する処理手段とからなるボディーサイズ測定手段と、
住宅や住宅設備の高さ、広さ、取り付け位置、通路巾を前記ボディーサイズ測定手段の測定データに基づいて調整できるようにしたシミュレーター装置と、
前記測定データに基づいて調整したシミュレーター装置を被験者に使用させ、その使用中の状態をカメラで撮影して撮影した画像データを元にして使用中の被験者とシミュレーター装置の各部の寸法を測定する第２の測定手段と、
前記ボディーサイズ測定手段の測定データと第２の測定手段の測定データを保存するデータベースとからなる居住環境データ収集システム。
【発明の詳細な説明】
【０００１】
【発明の属する利用分野】
この発明は、住宅と住宅設備のサイズの最適化のためのデータ収集を行う居住環境データ収集システムに関するものである。
【０００２】
【従来の技術】
健常者にとっては僅かな段差や少し高さが合わないだけでも、高齢者や障害者にとっては、移動が不自由であったり、使いにくいと感じたりする。
【０００３】
ところが、高齢者や障害者の身体機能の程度はさまざまで、非常に個人差があるため、そのような人のための住宅や住宅設備のサイズ決めは難しい。しかし、その人に合った住まいや住宅設備のサイズを最適なものにすることは、快適で安心に生活する上で非常に重要である。
【０００４】
そのため、このようなサイズを決めるためのデータの収集が大学あるいはメーカーの研究機関等で行われている。
【０００５】
ところが、収集されるデータの信頼度の向上を図るにはサンプル数が重要であり、必要なサンプルを得るため多数の人を集める必要があった。
【０００６】
【発明が解決しようとする課題】
しかしながら、上記のようにデータ収集のためだけに多数の人を集めるのには費用が掛かり、限度があるという問題がある。
【０００７】
さらに、集める人は無作為というわけにはいかないため、サンプリングの人材が平均化（統計学的に相関がある）してしまう傾向にあるなどの問題がある。
【０００８】
そこで、この発明の課題は、費用を掛けずに多数のデータをサンプリングできるようにし、また、不特定多数の人のデータを得られるようにすることである。
【０００９】
【課題を解決するための手段】
上記の課題を解決するため、この発明では、被験者を撮影するカメラと、そのカメラで撮影した画像データから前記被験者の身体の各部のサイズを算出する処理手段とからなるボディーサイズ測定手段と、住宅や住宅設備の高さ、広さ、取り付け位置、通路巾を前記ボディーサイズ測定手段の測定データに基づいて調整できるようにしたシミュレーター装置と、前記測定データに基づいて調整したシミュレーター装置を被験者に使用させ、その使用中の状態をカメラで撮影して撮影した画像データを元にして使用中の被験者とシミュレーター装置の各部の寸法を測定する第２の測定手段と、前記ボディーサイズ測定手段の測定データと第２の測定手段の測定データを保存するデータベースとからなる構成を採用したのである。
【００１０】
このような構成を採用することにより、被験者をボディーサイズ測定手段のカメラで撮影し、撮影した画像データから前記被験者の身体の各部のサイズを処理手段が算出する。このようにカメラを使用することで、高齢者や身体障害者のサイズも容易に測定できる。
【００１１】
また、ボディーサイズ測定手段が算出したデータで、シミュレーター装置の高さ、広さ、取り付け位置、通路巾を前記算出した被験者の各部のサイズに合わせて調整すれば、直ちにシミュレーター装置を前記被験者に使用させることができる。また、その状態を第２の測定手段のカメラで撮影し、撮影した画像データから使用中の被験者とシミュレータの各部の寸法サイズを算出することができるので、それらのデータをデータベースに保存すれば、多数のデータを短時間で収集できる。
【００１２】
【発明の実施の形態】
以下、この発明の実施の形態を図面に基づいて説明する。
【００１３】
図１に示すように、この居住環境データ収集システムは、ボディーサイズ測定手段を設けたボディーサイズチェックゾーン１ａと、各種シミュレーター装置と第２の測定手段を設けた日常生活動作能力（ＡＤＬ）シムスペース２ａ及びデータベース用のホストコンピュータを設けた事務スペース３ａからなり、体験できる展示施設として構成されている。
【００１４】
また、それらボディーサイズチェックゾーン１ａとシムスペース２ａ及び事務スペース３ａに備えられる機器は、図２に示すように、ＬＡＮで接続されてデータの共有ができるようになっている。
【００１５】
ボディーサイズチェックゾーン１ａは、ボディーサイズ測定手段１を備えて、身体の各部の寸法と動作エリアを測るゾーンとなっている。
【００１６】
ボディーサイズ測定手段１は、図３に示すように、ビデオカメラ（デジタルスチルカメラでも可）１０、モニタ１１、処理用コンピュータ１２で構成され、処理用コンピュータ１２には、ビデオキャプチャーボード１３が備えられている。
【００１７】
ビデオキャプチャーボード１３は、ビデオカメラ１０からのビデオ信号を処理用コンピュータ１２が取り込んで、モニタ１１に表示できるようにするとともに、処理用コンピュータ１２からのコマンドでビデオカメラ１０が撮った画像を１フレームごとにキャプチャーし、キャプチャーしたフレーム画像を処理用コンピュータ１２が取り込んで、静止画として表示できるようにする。
【００１８】
また、処理用コンピュータ１２は、表示した静止画内の指定エリアのピクセル数の計数処理を行うプログラムを備えており、図４に示すように、モニタの静止画を見ながら、オペーレータがペンまたはマウスでカーソルＣ１〜４を移動させて計測エリアを指定すると、その指定エリアのピクセル数を計数する。
【００１９】
このようにピクセル数を計数することで、ボディーサイズ測定手段１は、被験者の各部のサイズの測定が非接触で行えるようにしてあり、以下、その原理を詳述する。
【００２０】
すなわち、例えばモニタの最大表示範囲を１０２４×７６８ピクセルとした場合、図４に示すように、被験者を写し出すエリアを６４０×４８０ピクセルになるように設定し、この範囲になるように被験者とカメラの相対的な位置を決める。ここでは、図５に示すように、例えばカメラと被写体間の距離Ａを４７００ｍｍ、カメラ１０を設置する高さＢを１２５０ｍｍ、測定範囲Ｅ（縦・横共通）を２５００ｍｍ、被写体角度Ｄを１５°とした。
【００２１】
すると、画面に写し出される横方向の範囲は、２５００ｍｍとなり、１ピクセル当たりの寸法（２５００÷４８０）は、５．２０８ｍｍとなるので、最小分解能は約５ｍｍとなる。
【００２２】
したがって、例えば図４に示すように、エリアを指定すれば、指定されたエリア内のピクセル数を計数することで、その部分の長さを図ることができる。
【００２３】
ここで、この測定法の誤差要因について考察する。
【００２４】
例えば、図５の人が身長１７００ｍｍであった場合に、正規の位置であるＡ点（この場合、４７００ｍｍから）と、その位置から１ｃｍ内側に立った場合の誤差を算出すると、
まず、中心線ｏより下を考えると、
正規の被写角度＝ｔａｎ-1（１２５０／４７００）
＝１４．８９３°
１ｃｍ内側へ立ったときの
被写角度＝ｔａｎ-1（１２５０／４６９０）
＝１４．９２３°
したがって、変化量は、
Ｘ＝４７００ｔａｎ（１４．９２３°）−４７００ｔａｎ（１４．８９３°）
＝２．５ｍｍ
次に、中心線ｏより上を考える。
【００２５】
正規の被写角度＝ｔａｎ-1（４５０／４７００）
＝５．４６９°
１ｃｍ内側へ立ったときの
被写角度＝ｔａｎ-1（４５０／４６９０）
＝５．４８１°
１ｃｍ内側へ立ったときの
被写角度＝ｔａｎ-1（１２５０／４６９０）
したがって、変化量は、
Ｘ＝４７００ｔａｎ（５．４８１°）−４７００ｔａｎ（５．４６１°）
＝１．６６ｍｍ
これから、上下で約４．１６ｍｍの誤差が生じる事が確認できる。このため、被験者の位置を固定すれば、測定精度を向上させることができる。
【００２６】
日常生活動作能力（ＡＤＬ）シムスペース２ａは、シミュレーター装置を備えたスペースで、玄関、居間・寝室とトイレ、洗濯、風呂、家事室、洗面、キッチンなど水廻りとで構成され、実際の住宅に似せた間取りとなっている。
【００２７】
また、そこに設けられるシミュレーター装置は、住宅や住宅設備の高さ、広さ、取り付け位置、通路巾を変えられる例えば下記のようなもので構成されている。
【００２８】
・玄関
・電動式Ｘ型クランク移動機構を用いた玄関壁水平移動システム
・電動式ラック＆ピニオン機構を用いたベンチ昇降システム
・居間（図１８参照）
・電動式ボールネジ機構を用いたテーブル昇降システム
・電動式Ｘ型クランク機構を用いた畳昇降システム
・寝室（図１８参照）
・電動式ボールネジスライド機構を用いたベット昇降システム
・収納棚（図１９参照）
・電動式ボールネジスライド機構を用いた収納棚昇降システム
・トイレ（図１５参照）
・電動式Ｘ型クランク移動機構を用いたトイレ壁水平移動システム
・洗濯機（図１５参照）
・電動式ラック＆ピニオン機構を用いた洗濯機昇降システム
・バスルーム（図１６参照）
・電動式ボールネジスライド機構を用いたバスルーム壁水平移動システム
・電動式チェーン式移動機構を用いたバスタブ水平移動風呂システム
・家事室（図１７参照）
・電動式ボールネジスライド機構を用いた家事テーブル昇降システム
・洗面
・電動式ボールネジスライド機構を用いた洗面台昇降システム
・キッチン（図１７参照）
・電動式ボールネジスライド機構を用いたコンロ昇降システム
・電動式ラック＆ピニオン機構を用いた流し台昇降システム
・電動式チェーン式移動機構を用いた戸袋昇降システム
・電動式ボールネジスライド機構を用いたキッチン壁水平移動システム
この他、コンセントやスイッチの配置を変えられるシミュレータ装置なども備えており、これらについては後述する。
【００２９】
さらに、これらのシミュレータ装置には、ビデオカメラ１０’を用いた第２の測定手段３が設けられている。
【００３０】
第２の測定手段３は、図３のものと同様に、ビデオカメラ（デジタルスチルカメラでも可）１０’とキャプチャーボードの設けられた処理用コンピュータ１２’とを接続し、その処理用コンピュータ１２’に接続したモニタ１１’を見ながら測定が行えるようにしたものである。また、シミュレーター装置と処理用コンピュータ１２’は、インターフェースを介して接続され、シミュレーター装置の調節ができるようになっている。
【００３１】
そのため、この第２の測定手段３は、カメラ１０’でキャプチャーした画像をモニタ１１’に表示し、その表示した画像に対してボディーサイズ測定手段１で測定したデータに基づいてピクセル単位でサイズ変更を加え、そのサイズ変更した表示画像にキャプチャー画像が一致するようにシミュレータ装置を動かすことでシミュレータ装置のサイズ変更ができるようになっている。
【００３２】
このことを例えば、図６に示す家事テーブル昇降システムを用いて説明する。
【００３３】
前記家事テーブル昇降システムは、図６に示すように、テーブルの天板の両サイドの支柱をスライド２０で構成し、そのスライド２０をボールネジ（図示せず）と伝達ギヤ２１を介してモータ２３で動かすようにしたものである。
【００３４】
計測方法は、先に述べたピクセル単位で行うもので、図７に示すように、カメラ１０’でキャプチャーしたテーブルの画像を図８のようにモニタ１１’に表示させ、表示させた画像の、ここでは図８に示すように、カーソルＣ５，Ｃ６で指定した範囲ｐｉｘのピクセル数を計数する。このとき、先にも述べたとおり、画像で検出する範囲の縮尺を距離により確定する必要があるため、カメラ１０’とテーブルのセンターとモニタ１１’のセンタｏ’とが同じ基準となるようにカメラ１０’を設置する。そして、このように、カメラ１０’を表示画像とキャプチャー画像を１対１に比例させるようにしてある。
【００３５】
したがって、その表示した画像に対してピクセル単位でサイズ変更を加える。また、そのサイズ変更した表示画像とキャプチャー画像を図９（ａ），（ｂ）のようにモニタ１１’上でオーバーラップさせて変更を加えた表示画面に一致するようにテーブルを昇降させることで高さを合わせることができる。そして、モニタ１１’上でサイズ変更を行い、そのデータも保存する。また、その際、調整したテーブルを被験者に使用させてその状態をキャプチャーすることで、使用中の被験者の各部のサイズを計測できるようになっている。このとき、図６に示すように、テーブルと一緒に被験者をターンテーブル２３で回転させてカメラ１０’でキャプチャーするようにすれば、各部のサイズを被験者、あるいはカメラを動かさずに測定できる。このため、高齢や身体に障害がある人に負担を与えずに細部のサイズを正確に測定できる。
【００３６】
この計測したデータはＬＡＮで接続されたホストコンピュータに送られデータベース化される。
【００３７】
また、同時に計測に使用したキャプチャー画像を画像ファイルとして保存し、保存した画像ファイルを呼び出して検討することができるようになっている。
【００３８】
事務スペースに配置されたホストコンピュータ４は、前述したように、受け付け、測定の前記各コンピュータからのデータ及び解析データ、修正データ、画像データのデータベースを備える。
【００３９】
この形態は上記のように構成されており、次に、測定の手順を説明することによりデータ収集の方法について述べる。
【００４０】
この収集システムでは、被験者は、展示施設の受け付けで登録を行い、ボディーサイズチェックゾーン１ａで身体の各サイズを測定し、その測定サイズに基づいて調整されたシムスペース２ａの各シミュレータ装置で住宅や住宅設備の使い勝手を体験すると、そのデータが収集される。
【００４１】
すなわち、被験者が受付のコンピュータで登録を行うと、図１０に示すように、ホストコンピュータ４へ転送され、データベースに被験者用のファイルが生成される。そして、生成されたファイルに、名前、年齢、性別、障害の有無や程度などその他簡単な個人データを登録すると、コード番号が付与され、このコード番号でもって以後のデータを管理する。
【００４２】
受け付けが終了すると、ボディーサイズチェックゾーン１ａに移動し、身体のサイズと動作エリアを測定する。
【００４３】
この測定は、被験者を前述したようにゾーンの所定の位置に配置して、カメラで撮影して測定する。その際、図１１に示すように、所定のポーズを取らせて、動作エリアも測定する。このようなポーズは、この測定後に体験するシムスペース２ａの各種のシミュレータ装置の調整の際に用いるためのもので、体験するシミュレータ装置の種類により必要ないものは測定しなくてもよい。
【００４４】
また、測定されたデータは、図１２に示すように、ホストコンピュータへ転送されて処理される。
【００４５】
測定が終わるとシムスペース２ａへ進む。この形態のシムスペース２ａでは、まず、図１の玄関コーナーで、玄関の広さとベンチの高さを体験する。
【００４６】
すなわち、当コーナーでは、端末に被験者の個人コードを入力し、図１３に示すように、端末に表示される平均寸法に合わせて玄関壁を移動させて玄関スペースの巾を合わせる。
【００４７】
ここで、端末に表示される平均寸法とは、被験者のサイズに基づいてデータベースに準備された平均寸法で、収集データに基づいて修正が行われるものである。
【００４８】
一方、被験者は、調整した巾で良いかどうか、納得するまで再調整しながらベストの位置を決める。特に、車椅子を使用する被験者の場合は、この巾で回転などが容易かどうかなどをチェックし、適性な値を決めるようにする。
【００４９】
そして、その間のデータは図１４に示すように、端末よりホストコンピュータ４の個人データファイルに収集される。
【００５０】
同様に、個人コードで呼び出した被験者の測定サイズに合わせて玄関ベンチの高さも調整してうまく使用できるかどうかチェックすると、その間のデータは端末よりホストコンピュータ４の個人データファイルに収集される。
【００５１】
玄関コーナーでの測定が済むと、次に、スロープを通って図１のトイレコーナーへ進む。このとき、スロープに設けた手すりによって手すりの必要性も体験できる。また、連絡通路はスロープよりも階段がよいかなどを体験できる。
【００５２】
トイレコーナーでは、独力でできること、便器回りに介助者のスペースの必要性などを考慮して、図１５に示すように、身体状況に合わせてペーパーホルダーと手すりを左右どちらにするかを決め、端末から個人コードで呼び出したデータ（例えば、図１１の８，９，１，５，１２，１１，１３，１４などの測定データに基づいて）で適正だと思われる寸法に取り付ける。それらの位置で便器から立ち上がる動作をシミュレーションさせて調整する。また、手すりとホルダーの位置が決まると、壁面を移動させて左右の巾を変えて適性な位置をきめる。さらに、前方の壁を移動させて適正な広さを決める。この間のデータは、ホストコンピュータ４へ転送され、個人データファイルに収集される。
【００５３】
トイレコーナーでの測定が終わると、次は、洗濯機の使いやすい高さを決める。
【００５４】
すなわち、高齢になると、洗濯槽の底に手を入れて洗濯物を取り出すのは結構大変な作業である。したがって、洗濯機を置くスペースの床面を下げるなどの工夫が必要である。最近普及しつつあるドラム式洗濯機は、前面から洗濯物の取り出しができるという利点はあるが、腰をかがめての作業になる。車椅子の場合は、正面の扉の開く角度を確かめておく必要がある。
【００５５】
そのため、個人コードで呼び出した被験者の測定データに合わせて、図１５に示すように洗濯機を戴置した床面の高さを変えてちょうど良い高さを決める。この間のデータはホストコンピュータ４へ転送され、個人データファイルに収集される。
【００５６】
洗濯機の測定が終わると、図１に示す浴室（バス）コーナーへ進む。バスは介助の有無や車椅子の使用の有無など、身体状況に応じて必要な浴室の広さが異なること、また、手すりの有無や位置、さらに、介助スペースも身体状況によってことなるため、個人コードで呼び出した被験者の測定データに合わせて、図１６に示すように浴室壁や浴槽を移動させる。そして浴槽に入るまでの動作をシミュレーションし、その距離が良いかどうかを調整する。このとき、リフトを使用した場合も想定してデータを収集するようにしてもよい。この間のデータは、ホストコンピュータ４へ転送され、個人データファイルに収集される。
【００５７】
次は、 段差解消機を体験する。段差解消機は図１６に示すように、昇降油圧テーブルを用いたもので、立ったまま、あるいは、車椅子に乗ったまま上下させることで使い勝手を体験する。
【００５８】
これが済むと、図１の水廻り、すなわち、家事室へ進む。ここでは、先ず、家事テーブルについて高さを決める。
【００５９】
テーブルの高さや形状は、どのような仕事をするかによって異なるが、 その人の身体のサイズや身体状況に大きく関わる。そのため、端末から個人コードで呼び出したデータで適正だと思われる寸法に予めテーブルの高さを合わせて、 例えばアイロンかけの動作などを行って、図１７に示すように、テーブルが丁度よい高さになるように調整する。
【００６０】
次に、洗面化粧台についてシミュレーションする。洗面の動作は、大きく状態を曲げるため、腰に負担がかかる。負担を軽くするために、 洗面化粧台の高さが重要なポイントとなる。高すぎると、 肘が洗面器の上に乗ってしまい、低すぎると、ひざと腰が曲がり窮屈な姿勢になる。また、立って使用する場合と、 車椅子に座って洗面を行う場合の使いやすい高さは異なる。座って使用する場合は、 足がカウンターの下に入る形状で、膝に洗面器が当たらないように高さを調整する。そのため、端末から個人コードで呼び出したデータで適正だと思われる寸法に洗面器の高さを合わせて洗面動作を行い、ここから高さを調整して丁度良い高さを見つける。この間のデータはホストコンピュータ４へ転送され、個人データファイルに収集される。
【００６１】
次は、図１の水廻りの流し台、コンロ、戸袋の高さを決める。一般に、流し台、コンロ、戸袋は、個人の身長を基準に決めるのが望ましい。特に、高齢者にとって使い勝手の良い安全な設備にするためには、 さまざまな身体機能を良く知り、その上で高さや仕様、形状を決める必要がある。そのため、端末から個人コードで呼び出したデータで、予め適正だと思われる寸法に流し台の高さを合わせて洗い物をする動作を行い、ここから例えば、図１７に示すように流し台の高さを変え、 丁度良い高さを選ぶ。その間のデータはホストコンピュータ４へ転送されて個人データファイルに収集される。
【００６２】
同様に、 端末から個人コードで呼び出したデータで適正だと思われる寸法にコンロ、戸袋の高さを変えて丁度良い高さを選ぶ。その間のデータはホストコンピュータ４へ転送されて個人データファイルに収集される。
【００６３】
水廻りでの測定が終わると、次は、図１の階段と手すりの高さを体験する。階段は、 つまずきや踏み外しなど、家庭内でも事故の多い場所である。勾配は緩やかな方が望ましく、 手すりを付けることが大切である。昇り降りしやすい緩やかな勾配にするには、踏面や蹴上げの寸法が大切である。
【００６４】
一方、 手すりは、昇るときは、身体を支え持ち上げようとするために使われ、 降りるときは、 バランスを崩さぬように、 安定を保つために使われるので、 両側に設置するのが好ましい。
【００６５】
そのため、ここでは、階段の踏面と蹴上げの違う二つの階段を使い勝手の良いものを選ぶ。その際、 取り付け高さを違えた手すりを使用して良い方を選択する。
【００６６】
同様に、ドアの選択もする。ドアは身体の状況、介助の仕方、車椅子の使用の有無によってドアの巾が異なる。ここでは、準備した幅の違う２種類のドアと引き戸の３タイプの中から好ましいものを選択する。これらのデータも個人データファイルに収集される。
【００６７】
ドアが終了すると、図１の居間コーナーでは、テーブルと畳の高さを選択する。すなわち、食事や休息をするためにテーブルを使用する時は、高齢者や杖使用者のために立ち上がりの楽ないすを選ぶことや、車椅子とテーブルの高さの関係に注意を払うことが必要である。一般に高齢者にはやや低めの食卓が良いとされているが、車椅子を使用する場合、テーブルはアームレストが下に入り、フットレストがぶつからないことが大切である。また、立ち上がりが楽ないすには、座面がリフトアップするものや、座面が少し高くて前勾配になっているものがある。ここでは、食事のテーブルについて選択する。
【００６８】
そのため、端末から個人コードで呼び出したデータで適正だと思われる寸法に図１８に示すように、テーブルの高さを合わせ、食事をする動作をシミュレーションして最も良い高さを決定する。
【００６９】
一方、畳の高さ、すなわち、敷居の段差は、高齢者にとって大変危険なものである。また、畳を敷く和室を腰の高さに設定した畳スペースは立ち上がり動作が困難な高齢者にとって大変便利である。
【００７０】
そのため、ここでは、端末から個人コードで呼び出したデータで適正だと思われる寸法に、畳の高さを合わせて畳コーナへの移動のし易い段差を決める。また、個人コードで呼び出したデータで腰の高さに合わせて、図１８に示すように、畳を昇降させて使い勝手を体験させる。
【００７１】
また、ベッドの高さも選択する。高齢化によって足腰が弱くなると、布団よりベッドが楽になる。そのため、ここでは、ベッドへの移乗を身体状況に応じて体験できるようにして適切な高さが決められるようになっている。
【００７２】
すなわち、自分一人で移乗する場合。車椅子から移乗する場合。介助者が付き添って移乗させる場合（特に、リフト利用）。この場合も同様に、端末から個人コードで呼び出したデータで適正だと思われる寸法に基づいて、図１８に示すように、ベッドを昇降させて最適な高さを選択する。この間のデータは個人データファイルに収集される。
【００７３】
さらに、スイッチ・コンセントの位置と収納棚の高さを決める。コンセント・スイッチの位置は、高すぎても低すぎても勝手が悪い。特に、身体の曲げ伸ばしが上手く行えない高齢者や障害者には大きな負担となる。そのため、ここでは、マグネットを取り付けたコンセントやスイッチを端末から個人コードで呼び出したデータで適正だと思われる位置に、図１９に示すように貼り付けて、この貼り付けたコンセントやスイッチにプラグの抜き差しを行って、最適な位置を選択する。この間のデータは個人データファイルに収集される。
【００７４】
収納棚は、一般的に住まいの設備の中で、最も取り上げられることの多い工夫を必要とする場所の一つである。その上、高齢化に伴う身体機能の変化によって見直しが求められる場所でもある。そこで、ここでは、重さの異なる３つのカバンを持ち上げて棚に収めやすい高さ（収納棚の高さ）の上限を決める。
【００７５】
すなわち、端末から個人コードで呼び出したデータで適正だと思われる高さに図１９に示すように収納棚を移動させる。両手で３種類のカバンを順に棚に乗せ使い勝手のよい高さに調整する。端末から個人コードで呼び出したデータで適正だと思われる高さに収納棚を移動させ、この間のデータを個人データファイルに収集する。
【００７６】
このように、各シミュレータで測定したデータはホストコンピュータに伝送され、収集されて統計学的な処理を行うことにより、有効なデータベースを作成できる。
【００７７】
そのため、このように展示施設として運用すれば、費用を掛けずに多数のデータをサンプリングし、また、不特定多数の人のデータを得られるようにすることができる。
【００７８】
なお、上記形態では、玄関のシミュレーション装置から順に測定するように説明したが、これに限定されるものではない。シミュレーション装置は全て使用する必要はないし、順番は上記形態に限定されるものではない。
【００７９】
【発明の効果】
この発明は、上記のように構成することにより、費用を掛けずに多数のデータをサンプリングできる。また、不特定多数の人のデータを得られる。
【図面の簡単な説明】
【図１】実施形態のブロック図
【図２】実施形態のブロック図
【図３】実施形態のブロック図
【図４】実施形態の作用説明図
【図５】実施形態の作用説明図
【図６】実施形態の作用説明図
【図７】実施形態の作用説明図
【図８】実施形態の作用説明図
【図９】実施形態の作用説明図
【図１０】実施形態のフローチャート
【図１１】実施形態の作用説明図
【図１２】実施形態のフローチャート
【図１３】実施形態のフローチャート
【図１４】実施形態のフローチャート
【図１５】実施形態の作用説明図
【図１６】実施形態の作用説明図
【図１７】実施形態の作用説明図
【図１８】実施形態の作用説明図
【図１９】実施形態の作用説明図
【符号の説明】
１      ボディーサイズ測定手段
２      シミュレータ装置
３      第２の測定手段
４      ホストコンピュータ
１０    ビデオカメラ
１０’  ビデオカメラ
１１    モニタ
１１’  モニタ
【図１】
0004270717.tif 000002
【図２】
0004270717.tif 000003
【図３】
0004270717.tif 000004
【図４】
0004270717.tif 000005
【図５】
0004270717.tif 000006
【図６】
0004270717.tif 000007
【図７】
0004270717.tif 000008
【図８】
0004270717.tif 000009
【図９】
0004270717.tif 000010
【図１０】
0004270717.tif 000011
【図１１】
0004270717.tif 000012
【図１２】
0004270717.tif 000013
【図１３】
0004270717.tif 000014
【図１４】
0004270717.tif 000015
【図１５】
0004270717.tif 000016
【図１６】
0004270717.tif 000017
【図１７】
0004270717.tif 000018
【図１８】
0004270717.tif 000019
【図１９】
0004270717.tif 000020